(57)【要約】【課題】支柱に対しハンガーパイプを分解可能に組み付けることにより、出荷、運搬および収納を容易化できる商品陳列装置を得る。【解決手段】支柱１、２に対し着脱可能で、かつ片持ち支持されるアーム板３ａ、４ａを設け、このアーム板３ａ、４ａの側面にパイプ支持板３ｂ、４ｂを突設することにより、ハンガーパイプ５端を着脱可能に支持する構成である。【選択図】図１
0003109103.tif 000002
【実用新案登録請求の範囲】
【請求項１】
支柱に対し着脱可能に片持ち支持されるアーム板と、
このアーム板の側面に突設されて、ハンガーパイプの一端を着脱可能に水平支持するパイプ支持板と、
を備えることを特徴とするハンガーパイプ受け用ブラケット。
【請求項２】
パイプ支持板には、ハンガーパイプ端に形成された嵌合切欠および嵌合孔のそれぞれに嵌合する嵌合突起が設けられてなることを特徴とする請求項１に記載のハンガーパイプ受け用ブラケット。
【請求項３】
パイプ支持板が、前記嵌合切欠および嵌合孔と嵌合突起との嵌合時に、ハンガーパイプ端に形成された嵌合長切欠に嵌合する高さを持つことを特徴とする請求項２に記載のハンガーパイプ受け用ブラケット。
【請求項４】
一対の支柱に着脱可能に片持ち支持される各一のアーム板と、
各アーム板の互いに対向する面に突設されて、ハンガーパイプの各一端を支持するパイプ支持板と、
を備えることを特徴とするハンガーパイプ受けブラケットユニット。
【考案の詳細な説明】
【技術分野】
【０００１】
本考案は、２本の支柱に片持ち支持されたアーム板間にハンガーパイプを保持するためのハンガーパイプ受け用ブラケットおよびハンガーパイプ受け用ブラケットユニットに関する。
【背景技術】
【０００２】
デパートや商店で衣類等を陳列、販売するのに、各種の商品陳列装置が、例えば顧客が歩く通路に沿って配置される。この商品陳列装置は、例えば基台上に２本の支柱を設立し、この２本の支柱間にハンガーパイプを架設したものからなる。また、基台の底部には床上での軽快な移動を助けるキャスタが取り付けられている（例えば、特許文献１参照）。
【０００３】
このような商品端列装置では、基台を所望の商品陳列位置まで移動させた後、ハンガーパイプに対し、シャツや上衣などといった衣類を掛けたハンガーのフックを引掛けることにより、この衣類を販売、展示に供することができる。
【特許文献１】特開平８−０１９４６５号公報
【考案の開示】
【考案が解決しようとする課題】
【０００４】
しかしながら、従来の商品陳列装置にあっては、２本の支柱およびハンガーパイプが一体に連設されているため、商品陳列装置全体の占有空間が大きくなり、これの移動、運搬、収納の作業が大掛りで面倒になる。
また、商品陳列装置の不使用時には、これが床上に大きな空間を占めるため、各種作業の妨げになり、また専用の収納空間を確保するのが難しいという不都合がある。
【０００５】
さらに、ハンガーパイプに対し、ハンガーのフックを引掛けて衣類を陳列した場合に、衣類の中央部付近が支柱に隠れることとなり、商品陳列効果および商品売上げ効率が低減してしまうという不都合があった。
【０００６】
本考案はこのような従来の問題点を解決するものであり、その目的とするところは、支柱に対しハンガーパイプを簡単に分解できるように組み付け可能にし、また、ハンガーパイプを支柱位置より前方に懸架することにより、商品陳列装置としての移動、運搬および収納の容易化並びに十分な商品陳列効果を具現可能にするハンガーパイプ受け用ブラケットおよびハンガーパイプ受け用ブラケットユニットを提供することを目的とする。
【課題を解決するための手段】
【０００７】
前記目的達成のために、請求項１の考案にかかるハンガーパイプ受け用ブラケットは、支柱に対し着脱可能に、片持ち支持されるアーム板と、このアーム板の側面に突設されて、ハンガーパイプの一端を着脱可能に水平支持するパイプ支持板と、備えることを特徴とする。
この構成により、アーム板およびハンガーパイプは、それぞれ支柱およびアーム板に対し分解可能に組みつけられ、したがって、商品陳列装置として使用される場合以外は、分解によって収納、移動および運搬等が容易なサイズに収めることが可能になる。また、ハンガーパイプはアーム板の先端付近に装着されるため、このハンガーパイプに対し、衣類を掛けたハンガーのフックを吊り下げた場合に、その衣類の全体が支柱の陰に隠れることがなくなる。
【０００８】
また、請求項２の考案にかかるハンガーパイプ受け用ブラケットは、パイプ支持板に、ハンガーパイプ端に形成された嵌合切欠および嵌合孔のそれぞれに嵌合する嵌合突起が設けられてなることを特徴とする。
この構成により、嵌合突起と嵌合切欠および嵌合孔との同時嵌合により、ハンガーパイプ端がアーム板から容易に離脱または脱落するのを防止でき、また支柱に対するアーム板の取付構造を補強することができる。
【０００９】
また、請求項３の考案にかかるハンガーパイプ受け用ブラケットは、パイプ支持板が、前記嵌合切欠および嵌合孔と嵌合突起との嵌合時にハンガーパイプ端に形成された嵌合長切欠に嵌合する高さを持つことを特徴とする。
この構成により、ハンガーパイプがパイプ支持板に対してハンガーパイプの軸方向および回転方向に位置ずれするのを防止できる。また、このハンガーパイプは、パイプ支持板に対して着脱可能ではあるけれども、このパイプ支持板を堅固に保持可能とする。
【００１０】
また、請求項４の考案にかかるハンガーパイプ受け用ブラケットユニットは、一対の支柱に着脱可能に片持ち支持される各一のアーム板と、各アーム板の互いに対向する面に突設されて、ハンガーパイプの各一端を支持するパイプ支持板と、を備えることを特徴とする。
この構成により、対称形状のアーム板間にハンガーパイプの各一端をそれぞれ着脱可能かつ堅固に水平支持させることができ、このハンガーパイプに陳列商品である衣類を掛けたハンガーを安定的に吊り下げることができる。
【考案の効果】
【００１１】
本考案によれば、支柱に対し着脱可能で、かつ片持ち支持されるアーム板を設け、このアーム板の側面に突設されたパイプ支持板により、ハンガーパイプの一端を着脱可能に水平支持するような構成としたので、アーム板およびハンガーパイプは、それぞれ支柱およびアーム板に対し分解可能に組みつけられる。
したがって、商品陳列装置として使用される場合以外は、分解によって収納、移動および運搬等が容易なサイズに収めることができる。
また、ハンガーパイプに対し、衣類を掛けたハンガーのフックを吊り下げたときに、その衣類の全体が支柱の陰に隠れずに、顧客の目に触れ易くすることができる。
【考案を実施するための最良の形態】
【００１２】
以下に、本考案の実施形態を図面を参照して説明する。
図１は、本考案の実施形態によるハンガーパイプ受け用ブラケットを持つ商品陳列装置の一部を破断して示す斜視図である。図２は、ハンガーパイプ受け用ブラケットの一つを示す側面図である。図３は、ハンガーパイプ受け用ブラケットとハンガーパイプとの嵌合構造を分解状態で示す斜視図である。
この商品陳列装置は、二本の支柱１、２と、ハンガーパイプ受け用ブラケット３、４と、ハンガーパイプ５とを備えている。
【００１３】
これらのうち、支柱１、２は角形の金属パイプまたはコの字形の金属枠などからなり、これらの前部には、互いに対応する高さ位置に複数の係止孔１ａ、１ｂが穿設されている。この金属パイプや金属枠は、陳列商品の荷重を受けても、容易に撓んだり変形したりしない肉厚を持つ。なお、これらの支柱１、２は、例えば床上を移動する基台（図示しない）上に垂直に設立され、あるいは店舗などの室内壁面に沿って垂直に固定される。
【００１４】
ハンガーパイプ受け用ブラケット３、４は、互いに対称の形状をなす。これらのうち、一方のハンガーパイプ受け用ブラケット３は、図２および図３に示すように、支柱１に対して着脱可能で、かつ片持ち支持されるアーム板３ａを有する。このハンガーパイプ受け用ブラケット３は、これのアーム板３ａ前部の側面に直角方向に突設され、後述のハンガーパイプの一端を着脱可能に支持するパイプ支持板３ｂを有する。このパイプ支持板３ｂ設置部付近では、アーム板３ａの面積が下方へ広がるように円弧状に張り出している。
【００１５】
アーム板３ａの上縁は、例えばガラス板などからなる棚板（図示しない）の支持面となっており、このアーム板３ａの先端上縁には、棚板の脱落を防止する突起６が形成れている。アーム板３ａの後縁には複数個（ここでは、３個）のフック片７が突設されている。これらのフック片７は、図１に示す支柱１の複数個の係止孔１ａに同時に挿入状態で係合される。したがって、アーム板３ａは支柱１に対し片持ち状態にて支持される。
【００１６】
パイプ支持板３ｂは、図３に示すように、上縁に嵌合切欠８を挟んで、各一の嵌合突起９、１０を有する。嵌合切欠８は、パイプ支持板３ｂの上縁から後述のハンガーパイプ５の略肉厚分とされている。
【００１７】
一方、もう一方のハンガーパイプ受け用ブラケット４は、図４に示すように、支柱１に対して着脱可能で、かつ片持ち支持されるアーム板４ａと、このアーム板４ａ前部の側面に直角方向に突設され、後述のハンガーパイプの一端を着脱可能に支持するパイプ支持板４ｂとから構成されている。このパイプ支持板４ｂ設置部付近では、アーム板４ａの面積が下方へ広がるように円弧状に張り出している。
【００１８】
アーム板４ａの上縁は、前記同様にガラス板などからなる棚板の支持面となっており、このアーム板４ａの先端上縁には、棚板の脱落を防止する突起１１が形成れている。アーム板４ａの後縁には複数個（ここでは、３個）のフック片１２が突設されている。これらのフック片１２は、図１に示す支柱２の複数個の係止孔２ａに同時に挿入状態で係合され、したがって、アーム板４ａは支柱２に対し片持ち状態にて支持される。
【００１９】
パイプ支持板４ｂは、図４に示すように、上縁に嵌合切欠１３を挟んで、各一の嵌合突起１４、１５を有する。嵌合切欠１３は、パイプ支持板４ｂの上縁から後述のハンガーパイプ５の略肉厚分とされている。
【００２０】
ハンガーパイプ５は円筒状をなし、両端に嵌合切欠１６と嵌合孔１７とを有する。これらのパイプ両端の嵌合切欠１６は、パイプ支持板３ｂ、４ｂの嵌合突起９、１４に、また嵌合孔１７はパイプ支持板３ｂ、４ｂの嵌合突起１０、１５に、それぞれ嵌合可能となっている。なお、嵌合切欠１６および嵌合孔１７との間の繋ぎ部分１８は、パイプ支持板３ｂ、４ｂ上縁の各嵌合切欠８、１３に落とし込み可能な形状となっている。したがって、この嵌合構造は、平面視では図５に示すようになり、ハンガーパイプ５端はパイプ支持板３ｂ、４ｂに簡単に嵌合保持可能となる。一方、その嵌合状態の解除操作を簡単にしている。
【００２１】
ハンガーパイプ５の両端には、嵌合切欠１６とは円周方向の反対側に、図３、図４および図６に示すように、パイプ支持板３ｂ、４ｂの下部に嵌まり込む嵌合長切欠１９が設けられている。これらのパイプ支持板３ｂ、４ｂ下部と各嵌合長切欠１９との図６に示すような嵌合により、ハンガーパイプ５端がパイプ支持板３ｂに対して移動または回動するのを規制でき、ハンガーパイプ５がパイプ支持板３ｂ、４ｂに対しさらに安定保持される。
【００２２】
したがって、このようなパイプ支持板３ｂ、４ｂを持つアーム板３、４をハンガーパイプ５に組み合わせて用いれば、ハンガーパイプ５を着脱可能に、かつ安定に支持できるとともに、アーム板３、４の支柱１、２に対する取り付け構造が補強される。また、ハンガーパイプ５に対して衣類を掛けたハンガーの吊持力を高めることができる。また、パイプ支持板３ｂ、４ｂおよびハンガーパイプ５の分解により、商品陳列装置としての占有空間を少なくでき、収納、運搬および取扱い等が容易になる。
【産業上の利用可能性】
【００２３】
本考案にかかるハンガーパイプ受け用ブラケットは、商品陳列装置として使用される場合以外は、分解によって収納、出荷および運搬等が容易なサイズに収めることができ、また、ハンガーパイプに対して衣類を掛けたハンガーのフックを吊り下げたときに、その衣類の全体が支柱の陰に隠れることがなく、顧客の目に触れ易くすることができるという効果を有し、ハンガーパイプを保持するためのハンガーパイプ受け用ブラケット等として、有用である。
【図面の簡単な説明】
【００２４】
【図１】本考案の実施形態によるハンガーパイプ受け用ブラケットを持つ商品陳列装置の要部を示す斜視図である。
【図２】本考案の実施形態による一方のハンガーパイプ受け用ブラケットを示す側面図である。
【図３】本考案の実施形態による一方のハンガーパイプ受け用ブラケットとハンガーパイプの組立構造を分解状態で示す斜視図である。
【図４】本考案の実施形態による他方のハンガーパイプ受け用ブラケットとハンガーパイプの組立構造を示す斜視図である。
【図５】図３および図４におけるハンガーパイプ受け用ブラケットに対するハンガーパイプの取付状態を示す平面図である。
【図６】図３および図４におけるハンガーパイプ受け用ブラケットに対するハンガーパイプの取付状態を示す下面図である。
【符号の説明】
【００２５】
１、２  支柱
３、４  ハンガーパイプ受け用ブラケット
３ａ、４ａ  アーム板
３ｂ、４ｂ  パイプ支持板
５  ハンガーパイプ
９、１０、１４、１５  嵌合突起
１６  嵌合切欠
１８  嵌合孔
１９  嵌合長切欠
【図１】
0003109103.tif 000003
【図２】
0003109103.tif 000004
【図３】
0003109103.tif 000005
【図４】
0003109103.tif 000006
【図５】
0003109103.tif 000007
【図６】
0003109103.tif 000008